(57)【要約】【課題】走行時の異音の発生及びコネクタの損傷等を抑制できると共に、固定作業が容易であって、低コスト化を図れるワイヤハーネスのコネクタ保持方法を提供する。また、該保持方法を用いて実現するコネクタ保持具及び保持構造を提供する。【解決手段】  自動車用ワイヤハーネスの幹線から分岐した支線の端末に接続したコネクタを該幹線に保持する保持方法であって、緩衝性部材からなるシート状の保護材を備える保持具を、前記幹線に巻回することにより、前記保持具を前記幹線に固定する幹線支持工程と、前記保持具が巻回された幹線と前記コネクタを抱え込むように前記幹線と前記コネクタを前記保持具で巻回して、前記コネクタを覆った状態で保持固定するコネクタ保持工程とを有することを特徴とする。【選択図】  図４
2018010732.tif 000002
【特許請求の範囲】
【請求項１】
自動車用ワイヤハーネスの幹線から分岐した支線の端末に接続したコネクタを該幹線に保持する保持方法であって、
緩衝性部材からなるシート状の保護材を備える保持具を、前記幹線に巻回することにより、前記保持具を前記幹線に固定する幹線支持工程と、
前記保持具が巻回された幹線と前記コネクタを抱え込むように前記幹線と前記コネクタを前記保持具で巻回して、前記コネクタを覆った状態で保持固定するコネクタ保持工程と、
を有することを特徴とするコネクタの保持方法。
【請求項２】
前記保護材は、少なくとも前記幹線に接する領域の一部に接着層を備えており、
前記幹線支持工程は、前記接着層により前記保持具を前記幹線に接着して固定することを特徴とする請求項１に記載のコネクタの保持方法。
【請求項３】
前記幹線支持工程は、前記保持具の一方の端部側から前記幹線を巻回して、前記接着層により前記保持具を前記幹部に接着固定し、
前記コネクタ保持工程は、前記保持具の前記一方の端部と前記コネクタを巻き込むように前記保持具の他方の端部を巻回して、前記コネクタを保持固定することを特徴とする請求項２に記載のコネクタの保持方法。
【請求項４】
前記幹線支持工程は、前記保持具の中央部に前記幹線を挟み込むように折り畳んで、該保持具を二つ折りの状態で前記幹線に固定し、
前記コネクタ保持工程は、前記コネクタを前記二つ折りした保持具で巻回して、前記コネクタを保持固定することを特徴とする請求項１又は２に記載のコネクタの保持方法。
【請求項５】
前記保持具は、前記幹線に接する保護材の一方の面全面に接着層を備えており、
前記幹線支持工程は、前記保持具の中央部に前記幹線を挟み込むように折り畳んで、該保持具を前記接着層により二つ折りの状態で接着して前記幹線に固定することを特徴とする請求項４に記載のコネクタの保持方法。
【請求項６】
前記幹線及び前記コネクタを覆う前記保持具の外周をテープ部材で巻回することにより、前記コネクタを覆った状態で保持固定する第２のコネクタ保持工程を更に備えることを特徴とする請求項１から５のいずれか1項に記載のコネクタの保持方法。
【請求項７】
前記保持具は、巻回して前記コネクタを保持する領域の端部に第２の接着層を備えており、
前記コネクタ保持工程において、前記保持具を前記コネクタに巻回した後、前記保持具の端部を前記第２の接着層により接着固定することを特徴とする請求項１〜３のいずれか1項に記載のコネクタの保持方法。
【請求項８】
前記保持具は、前記保護材の面のうち、幹線に接しない面の端部に第２の接着層を備えており、
前記コネクタ保持工程において、前記二つ折りした保持具を前記コネクタに巻回後、前記二つ折りした保持具の端部を前記第２の接着層により接着固定することを特徴とする請求項４〜５のいずれか1項に記載のコネクタの保持方法。
【請求項９】
幹線から分岐した支線の端末に接続したコネクタを巻回して覆い、該コネクタを前記幹線に固定する保持具であって、
前記コネクタを保護する緩衝性部材からなるシート状の保護材と、
前記保護材の前記幹線と接する領域の少なくとも一部に設けられた接着層と、
を備えるコネクタ用保持具。
【請求項１０】
前記接着層は、前記保護材の前記幹線と接する面の一方の端部近傍の前記幹線を１回巻回する長さに相当する領域と、前記幹線と接する面の他方の端部に設けられることを特徴とする請求項９に記載のコネクタ用保持具。
【請求項１１】
前記接着層は、前記保護材の前記幹線と接する面の全面に設けられていることを特徴とする請求項９に記載のコネクタ用保持具。
【請求項１２】
前記保護材は発泡樹脂シートである
ことを特徴とする請求項９から１１のいずれか１項に記載のコネクタの保持構造。
【請求項１３】
自動車用ワイヤハーネスの幹線から分岐した支線の端末に接続したコネクタを該幹線に保持する保持構造であって、
緩衝性部材からなるシート状の保護材を備える保持具により、前記幹線を巻回して固定する支持部と、前記コネクタと前記支持部とを挟持すると共に巻回して保持する保持部とを備える
ことを特徴とするコネクタの保持構造。
【請求項１４】
前記保持部の外周を包囲して固定するテープ部材を備える
ことを特徴とする請求項１３に記載のコネクタの保持構造。
【請求項１５】
前記テープ部材の幅は前記コネクタの幅よりも小さい
ことを特徴とする請求項１４に記載のコネクタの保持構造。
【請求項１６】
前記保持部は端部に接着層を備える
ことを特徴とする請求項１３から１５のいずれか１項に記載のコネクタの保持構造。
【請求項１７】
前記保護材は発泡樹脂シートである
ことを特徴とする請求項１３から１６のいずれか１項に記載のコネクタの保持構造。
【発明の詳細な説明】
【技術分野】
【０００１】
本発明は自動車用ワイヤハーネスにコネクタを保持する方法、保持具、及び保持する構造に関する。
【背景技術】
【０００２】
自動車用ワイヤハーネスは、電力供給及び信号伝達の目的で、エンジンルームやドア内、室内等、車両の隅々に配策されている。自動車用ワイヤハーネスは、幹線及び幹線から分岐した複数の支線を含むものであって、支線の端末にはコネクタ（雌コネクタ）が接続されている。当該支線のコネクタを部品側のコネクタ（雄コネクタ）に嵌合することによって、所望の部品をワイヤハーネスに装着することができる。
【０００３】
支線に設けられたコネクタ（オプションコネクタともいう）の数は、車両の種類やオプション装備等に応じた部品点数によって、必要とされる数が異なるが、ワイヤハーネスの製造、管理を効率化するために、ワイヤハーネスの種類（品番）をできるだけ少なく抑えて共通仕様化する方法が一般的となっている。この場合ワイヤハーネスは、部品点数の多い車両に合わせた数のコネクタを備えており、車両の組み立て時に、作業者が必要なコネクタを選択的に使用する。よって部品点数が少ない車両の場合、組み立て時に使用されなかったコネクタ（いわゆる付け捨てコネクタ）があり、この付け捨てコネクタが走行時の振動等で車体パネルや他の部品等に接触すると、異音が発生してしまう問題がある。
【０００４】
この異音対策として、コネクタを幹線に固定する保持構造が提案されている。例えば特許文献１では、ゴム帯の両端に係合布（いわゆるマジックテープ（登録商標）等）を取付けた保持構造が開示されており、この保持構造は、ワイヤハーネスの幹線にコネクタを沿わせた状態で、これら両者の外周に前記ゴム帯を巻き付け、ゴム帯の一端の雄係合布と他端の雌係合布を係合することによって両者を固定するものである。
【先行技術文献】
【特許文献】
【０００５】
【特許文献１】特開平１１−２６０５９号公報
【発明の概要】
【発明が解決しようとする課題】
【０００６】
上記方法の場合、特許文献１の図５に示されているように、コネクタの大半部分は露出しており、幹線に固定された当該露出部分ごと車体パネルや他の部品等に接触すると、異音が発生したり、接触によって露出部分が破損したりする課題がある。付け捨てコネクタであっても、オプション装備の追加注文等により、一旦納車した後に使用される可能性があるため破損は好ましくない。
【０００７】
また、組み立て作業時に選択的に使用される際、コネクタに露出部分があると、組み立て工程において工具等と接触して破損してしまう恐れもある。さらに、このような破損に留意することによって、作業者の作業効率が低下してしまう問題もある。
【０００８】
このため、露出部分を発生させない手段として、発泡樹脂シート等で形成された保護材を用いてコネクタを覆い、この被覆されたコネクタをテープ部材によって幹線に固定する方法が用いられている。図１は、このような従来技術の一例を示す図であり、（Ａ）は保護材１０１ａ（保持具１０１）上にコネクタ７０を配置した状態を示す平面図、（Ｂ）はコネクタ７０が保持具１０１で被覆された状態を示す平面図、（Ｃ）は保持具１０１で被覆されたコネクタ７０を幹線３０に固定した状態の平面図である。
【０００９】
図１の従来技術では、まず（Ａ）のように所定形状にカットされたシート状の保護材１０１ａを備える保持具１０１の上に、支線５０の末端、及び末端に接続されたコネクタ７０を配置し、折返し線１０２で保持具１０１を折り返した後、保持具１０１の側縁に形成された接着層１０１ｂによって、折り重なった保持具１０１の側縁同士を接着する。その後、（Ｂ）のように支線５０を覆う保持具１０１の外周にテープ部材１１３を巻き付けて、接着層１０１ｂが形成されていない側縁１０１ｄの開口からコネクタ７０が抜け出ないように固定する。次に、（Ｂ）のように保持具１０１に被覆されたコネクタ７０を、（Ｃ）に示すように幹線３０に沿わせ、その後、幹線３０、及び保持具１０１に被覆されたコネクタ７０の両者の外周にテープ部材１５を巻き付けることによって、幹線３０にコネクタ７０を固定することができる。
【００１０】
このように保護材１０１ａによってコネクタを覆うと、コネクタの露出部分が発生しないため、上述した異音の発生や破損の問題は解決できる。しかし、コネクタ７０を折返し線１０２や接着層１０１ｂとの位置関係を意識しながら保持具１０１の上に配置する等、一定程度の作業精度が求められる。また、このような位置決め精度の要求に加えて、側縁の接着層１０１ｂの接着、及びテープ部材１１３の巻き付け作業も必要となるため、コネクタ７０の固定作業の困難性が増してしまう課題がある。一般に、車両の組み立て工程はコンベアによる流れ作業であり、短時間での繰り返し作業であるから、作業の困難性が増大すると、コネクタを固定する保持構造の品質にばらつきを招いてしまう。
【００１１】
また、発泡樹脂シートである保護材１０１ａの形状は、図１（Ａ）に示すように複雑な形状にカットされており、その側縁の一部のみに接着層１０１ｂが形成されている仕様のため、単純形状の発泡樹脂シート（例えば、長方形にカットされ片面全体に粘着部が形成されているもの）に比較して、価格が高いという課題もある。自動車のワイヤハーネスは多数のコネクタを含んでいるため、コネクタ毎の保持具のコストが上昇すると、車両全体としてのコスト高が積算効果により看過できないものとなってしまう。
【００１２】
本発明は、上記した課題に着目してなされたものであり、走行時の異音の発生及びコネクタの損傷等を抑制できると共に、固定作業が容易であって、低コスト化を図れるワイヤハーネスのコネクタ保持方法、保持具、及び保持構造を提供することを目的とする。
【課題を解決するための手段】
【００１３】
上記した目的を達成するために、本発明に係る自動車用ワイヤハーネスのコネクタの保持方法は、幹線から分岐した支線の端末に接続したコネクタを該幹線に保持する保持方法であって、緩衝性部材からなるシート状の保護材を備える保持具を、前記幹線に巻回することにより、前記保持具を前記幹線に固定する幹線支持工程と、前記保持具が巻回された幹線と前記コネクタを抱え込むように前記幹線と前記コネクタを前記保持具で巻回して、前記コネクタを覆った状態で保持固定するコネクタ保持工程と、を有することを特徴とする。
【００１４】
上記自動車用ワイヤハーネスのコネクタの保持方法において、前記保護材は、少なくとも前記幹線に接する領域の一部に接着層を備えており、前記幹線支持工程は、前記接着層により前記保持具を前記幹線に接着して固定することが好ましい。
【００１５】
上記自動車用ワイヤハーネスのコネクタの保持方法において、前記幹線支持工程は、前記保持具の一方の端部側から前記幹線を巻回して、前記接着層により前記保持具を前記幹部に接着固定し、前記コネクタ保持工程は、前記保持具の前記一方の端部と前記コネクタを巻き込むように前記保持具の他方の端部を巻回して、前記コネクタを保持固定することが好ましい。
【００１６】
上記自動車用ワイヤハーネスのコネクタの保持方法において、前記保持具の中央部に前記幹線を挟み込むように折り畳んで、該保持具を二つ折りの状態で前記幹線に固定し、前記コネクタ保持工程は、前記コネクタを前記二つ折りした保持具で巻回して、前記コネクタを保持固定することが好ましい。
【００１７】
上記自動車用ワイヤハーネスのコネクタの保持方法において、前記保持具は、前記幹線に接する保護材の一方の面全面に接着層を備えており、前記幹線支持工程は、前記保持具の中央部に前記幹線を挟み込むように折り畳んで、該保持具を前記接着層により二つ折りの状態で接着して前記幹線に固定することが好ましい。
【００１８】
上記自動車用ワイヤハーネスのコネクタの保持方法において、前記幹線及び前記コネクタを覆う前記保持具の外周をテープ部材で巻回することにより、前記コネクタを覆った状態で保持固定する第２のコネクタ保持工程を更に備えることが好ましい。
【００１９】
上記自動車用ワイヤハーネスのオプションコネクタの保持方法において、前記保持具は、巻回して前記コネクタを保持する領域の端部に第２の接着層を備えており、前記コネクタ保持工程において、前記保持具を前記コネクタに巻回した後、前記保持具の端部を前記第２の接着層により接着固定することが好ましい。
【００２０】
上記自動車用ワイヤハーネスのオプションコネクタの保持方法において、前記保持具は、前記保護材の面のうち、幹線に接しない面の端部に第２の接着層を備えており、前記コネクタ保持工程において、前記二つ折りした保持具を前記コネクタに巻回後、前記二つ折りした保持具の端部を前記第２の接着層により接着固定することが好ましい。
【００２１】
上記した目的を達成するために、本発明に係る自動車用ワイヤハーネスのコネクタ用保持具は、幹線から分岐した支線の端末に接続したコネクタを巻回して覆い、該コネクタを前記幹線に固定する保持具であって、前記コネクタを保護する緩衝性部材からなるシート状の保護材と、前記保護材の前記幹線と接する領域の少なくとも一部に設けられた接着層と、を備えることを特徴とする。
【００２２】
上記自動車用ワイヤハーネスのコネクタの保持具において、前記接着層は、前記保護材の前記幹線と接する面の一方の端部近傍の前記幹線を１回巻回する長さに相当する領域と、前記幹線と接する面の他方の端部に設けられることが好ましい。
【００２３】
上記自動車用ワイヤハーネスのコネクタの保持具において、前記接着層は、前記保護材の前記幹線と接する面の全面に設けられていることが好ましい。
【００２４】
上記自動車用ワイヤハーネスのコネクタの保持具において、前記保護材は発泡樹脂シートであることが好ましい。
【００２５】
上記した目的を達成するために、本発明に係る自動車用ワイヤハーネスのコネクタの保持構造は、自動車用ワイヤハーネスの幹線から分岐した支線の端末に接続したコネクタを該幹線に保持する保持構造であって、緩衝性部材からなるシート状の保護材を備える保持具により、前記幹線を巻回して固定する支持部と、前記コネクタと前記支持部とを挟持すると共に巻回して保持する保持部とを備えることを特徴とする。
【００２６】
上記自動車用ワイヤハーネスのコネクタの保持構造において、前記保持部の外周を包囲して固定するテープ部材を備えることが好ましい。
【００２７】
上記自動車用ワイヤハーネスのコネクタの保持構造において、前記テープ部材の幅は前記コネクタの幅よりも小さいことが好ましい。
【００２８】
上記自動車用ワイヤハーネスのコネクタの保持構造において、前記保持部は端部に接着部を備えることが好ましい。
【００２９】
上記自動車用ワイヤハーネスのコネクタの保持構造において、前記保護材は発泡樹脂シートであることが好ましい。
【発明の効果】
【００３０】
本発明のコネクタの保持方法、保持具、及び保持構造によれば、走行時の異音の発生及びコネクタの損傷等を抑制できると共に、固定作業が容易であって、低コスト化を図ることができる。
【図面の簡単な説明】
【００３１】
【図１】従来技術の一例を模式的に示す図であり、（Ａ）は保持具１０１上にコネクタ７０を配置した状態を示す平面図、（Ｂ）はコネクタ７０が保持具１０１で被覆された状態を示す平面図、（Ｃ）は保持具１０１で被覆されたコネクタ７０を幹線３０に固定した状態の平面図。
【図２】本発明に係るワイヤハーネスのコネクタの保持構造１０を模式的に示す図であり、（Ａ）は二つのコネクタ７０が幹線３０に支持されている状態を示す上面図、（Ｂ）は（Ａ）におけるコネクタ７０の保持構造１０の拡大斜視図、（Ｃ）は（Ｂ）のコネクタ７０を保持構造１０から引き抜いた状態を示す拡大斜視図。
【図３】本発明に係るワイヤハーネスのコネクタの保持方法、保持具、及び保持構造の一実施形態を模式的に示す図であり、（Ａ）は保持具１の上に幹線３０を配置した状態を示す上面図、（Ｂ）は保持具１の一方の端部を巻回して幹線３０に固定した状態を示す径方向（Ａ−Ａ方向）断面図、（Ｃ）は保持具１の中央部及び他方の端部で、幹線３０とコネクタ７０を巻回して保持固定した状態を示す径方向断面図。
【図４】本発明に係るワイヤハーネスのコネクタの保持方法、保持具、及び保持構造の別の実施形態を模式的に示す図であり、（Ａ）は保持具１の中央部に幹線３０を配置した状態を示す上面図、（Ｂ）は保持具１の中央部で幹線３０を挟む込むと共に、保持具１の中央部以外の部分を重ね合せて接着した状態を示す径方向（Ａ−Ａ方向）断面図、（Ｃ）は重ね合せた保持具１で、幹線３０とコネクタ７０を巻回して保持固定した状態を示す径方向断面図。
【発明を実施するための形態】
【００３２】
以下、図面を参照しながら本発明の実施形態について説明する。
図２は本発明に係るワイヤハーネスのコネクタの保持構造１０を模式的に示す図であり、（Ａ）は幹線３０から分岐した二つの支線５０の端末に接続されたコネクタ７０が幹線３０に保持されている状態を示す上面図、（Ｂ）は（Ａ）におけるコネクタ７０の保持構造１０の拡大斜視図、（Ｃ）は（Ｂ）のコネクタ７０を保持構造１０から引き抜いた状態を示す拡大斜視図である。
【００３３】
図２に示されるように、本実施形態に係るコネクタの保持構造１０は、保護材１ａを備える保持具１を有しており、保持具１を幹線３０に巻回することにより固定される支持部３と、支持部３とコネクタ７０を挟持するように保持具１を巻回することによって、コネクタ７０を保持する保持部５とを備える。保持具１の基体となる保護材１ａは、柔軟性を有する軽量かつ低コストである材料であって、衝撃緩衝性を有するものであれば特に限定されないが、本実施形態ではそのような材料として発泡ウレタン製の発泡樹脂シートを用いている。
【００３４】
保持構造１０は、保持部５の外周を包囲して固定するテープ部材１５を備えていることが好ましい。後述するように、テープ部材１５を備えていない状態であっても、例えば保持部５の保持具１の端部に接着層（第２の接着層）１ｃを設けることにより、支持部３とコネクタ７０を挟持するように巻回された保持具１の端部を安定的に固定することが出来るが、保持部５の外周全体にテープ部材１５を巻き付けることによって、端部に接着層（第２の接着層）１ｃが形成されていない保持具１を使用する場合であっても、安定的にコネクタ７０を保持固定することが可能となる。さらに、両者（第２の接着層１ｃ及びテープ部材１５）を併用することにより、より強固に安定的に固定することができ、走行時に強い振動や衝撃を受けた場合であっても、コネクタ７０が保持構造１０から離脱することを確実に抑制できる。
【００３５】
保持部５において、支持部３とコネクタ７０を挟持するように巻回される保持具１は、図２（Ｂ）に示すように、支線５０が接続するコネクタ７０の支線接続面７０ａを直接覆わないように巻回されている。すなわち、保持部５の側面のうち、少なくとも支線接続面７０ａが位置する側面は開口５ａとなっており、支線接続面７０ａは開口５ａを介して外部空間と繋がっている。このような構成にすることで、作業者は支線５を引っ張ることによって、開口５ａを通してコネクタ７０を引き抜くことができる。引き出すだけの簡易な作業でコネクタ７０を使用することが可能となる。
【００３６】
保持具１の幹線方向の幅Ｗ１（保持構造１０の支持部３及び保持部５の幅）は、コネクタ７０の幅Ｗ７０より長いことが好ましい。これにより、開口５ａから支線接続面７０ａが突き出すことなく、コネクタ７０が保護材１ａ（保持具１）により保護され、かつ、使用時には開口５ａからコネクタ７０を容易に引き出すことができる。
【００３７】
一方、従来技術の場合には、図１（Ｃ）に示すようにコネクタ７０は全ての面が保護材１０１ａ（保持具１）によって覆われているため、コネクタ７０の使用時には、テープ部材１１３を取り外し、その後、袋状の保護具１０１からコネクタ７０を取り出す作業が必要となり、本発明を使用する場合に比べて作業工程が多い。
【００３８】
図２（Ａ）のように、テープ部材１５の幅Ｗ１５は、コネクタ７０の幅Ｗ７０より小さいことが好ましい。テープ部材１５の幅Ｗ１５がコネクタ７０の幅Ｗ７０以上になると、テープ部材１５による固定が強固になり過ぎてしまい、コネクタ７０の使用時に、上記した引き抜き作業が困難になる場合がある。また、無理に引き出すことによって、コネクタ７０の側面７０ｂに配設されたコネクタロック等（図示せず）が破損してしまうことがある。
【００３９】
次に、上記した保持構造１０を実現するための保持方法について、図３及び図４を参照して説明する。図３は、本発明に係るワイヤハーネスのコネクタの保持方法、保持具、及び保持構造の一実施形態を模式的に示す図である。図３の実施形態において、保持具１は図３（Ａ）に示すような矩形の発泡ウレタン製の発泡樹脂シートの保護材１ａを基体として備えている。保持具の長手方向の一方の端部を図３（Ｂ）のように幹線３０に巻回することによって、保持具１と幹線３０を固定する（幹線支持工程）。保持構造１０において、幹線支持工程により幹線３０に固定された部分が支持部３である。
【００４０】
この際の固定方法は、簡易な作業で実施できる方法であれば特に限定されず、単に保護材１ａを幹線３０に強く複数回巻き付けることによっても固定は可能であるが、例えば、図３（Ａ）、（Ｂ）のように、幹線３０と接する保護材１ａの領域の一部に、予め接着層１ｂが形成されている保護具１を用いると、接着層１ｂによって保持具１と幹線３０を接着固定でき、利便性が高い。図３では、前記接着層１ｂは保護具１の一方の端部から幹線３０を1回巻回する長さに相当する領域に形成されており、これにより幹線３０の外周面全体にわたって保持具１と幹線３０を接着できるため、強固に固定できる。
【００４１】
次に図３（Ｃ）のように幹線３０に巻回固定された保持具１の外周面にコネクタ７０を配置し、幹線３０、支持部３及びコネクタ７０を挟持するように、保持具１の中央部及び他方の端部（幹線３０に固定されていない端部）を巻回する（コネクタ保持工程）。保持構造１０において、コネクタ保持工程により、保持具１がコネクタ７０を支持部３と挟持した状態で保持固定する部分が保持部５である。
【００４２】
保持具１の他方の端部（幹線３０に固定されていない端部）は接着層（第２の接着層）１ｃを備えていてもよく、これにより図３（Ｃ）に示すように、巻回後に保持具１の終端（他方の端部）を接着固定することができる。第２の接着層１ｃは、保持具１が巻回してコネクタ７０を保持する領域の端部に設けられていれば良く、図３（ｃ）では保持具１の両面のうち、径方向内側の面の端部に形成されているが、これに限定されない。例えば、径方向外側の面の端部に設けられており、端部を若干内側に折り曲げることによって、第２の接着層１ｃを接着固定しても良い。
【００４３】
ただし、保持部５における保持具１のうち、コネクタ７０と接する部分は接着層を備えていないものとする。コネクタ７０に保持具１が接着してしまうと、前述したコネクタ７０の使用時に、保持構造１０からコネクタ７０を容易に引き出せなくなってしまう。
【００４４】
図４は、本発明に係る別の実施形態を示す。図４の実施形態において、保持具１は図４（Ａ）に示すような矩形の発泡ウレタン製の発泡樹脂シートの保護材１ａを基体として備えており、一方の面の全面に接着層１ｂを有している。図４（Ａ）のように、保持具１の接着層１ｂを有する面の中央部に幹線３０を配置し、保持具１の両端部が略一致するように折り畳むと、二つ折りした保持具１の中央部に幹線３０を挟持することができる。保持具１は接着層１ｂにより二つ折りの状態で固定されると共に、保持具1の中央部の接着層１ｂと幹線３０が接着固定され（幹線支持工程）、幹線３０に固定される支持部３が形成される（図４（Ｂ））。
【００４５】
その後、図４（Ｃ）のように幹線３０に固定された支持部３の保持具１の外周面にコネクタ７０を配置し、二つ折りした保持具１でコネクタ７０を覆うように巻回する。保持構造１０において、この二つ折りした保持具１がコネクタ７０を支持部３と挟持して保持する部分が保持部５となる。
【００４６】
保持具１の一方の面（接着層１ｂを有しない面）の端部は、図４（Ｂ）に示すように接着層（第２の接着層）１ｃを備えていてもよく、これにより図４（Ｃ）に示すように、巻回後に二つ折りに重ね合わされた保持具１の終端を接着固定することができる。なお、保持具１の両端部の終端同士は、必ずしも図４（Ｂ）のように完全一致させる必要はなく、保持具１の長手方向の位置を若干ずらして接着層１ｂ同士を接着しても良い。これによって、不一致部分の接着層１ｂに、上記した端部の接着層（第２の接着層）１ｃと同様の役割を持たせることができる。すなわち、接着層１ｂ同士を接着する際、図４（Ｂ）の下側の保護材１ａの端部の接着層１ｂが若干露出するようにすると、図４（Ｃ）において径方向外側の保護材１ａの端部（巻回後の保持具１の終端）をこの露出した接着層１ｂによって接着固定することができる。
【００４７】
なお、接着層１ｂは必ずしも保持具１の片面全面に形成されている必要はなく、幹線３０を挟持する中央部、及び保持具１が重なり合う部分の一部に形成されていれば接着固定は可能であるが、保持具１の製造コストの観点からは全面に接着層が形成されたものの方が製造が容易なため有利と言える。
【００４８】
保持部５における保持具１のうち、コネクタ７０と接する領域は、図３の実施形態同様に接着層を備えていないものとする。コネクタ７０に保持具１が接着してしまうと、前述したコネクタ７０の使用時に、保持構造１０から容易に引き出せなくなってしまう。
【００４９】
このようにして図３又は図４で示した保持方法により実現された保持構造１０に対して、さらに保持具１（保持部５）の外周をテープ部材１５によって包囲すると（第２のコネクタ保持工程）、安定的にコネクタ７０を保持固定することができるようになる（図２（Ｂ））。
【００５０】
以上のように実現される本発明によれば、コネクタ７０は保持具１で覆われているため、走行時の振動等で車体パネルや他の部品等にコネクタ７０が接触し、異音が発生したり、コネクタ７０が破損したりすることが抑制される。
【００５１】
また、図１における従来技術と比較して、使用する保持具１の形状は、図３及び図４に示すような単純形状（矩形）で良く、保持具１の低コスト化を図ることができる。さらに、図４に示すように、接着層１ｂが片面全面に形成されている場合には、保持具１として一般的な仕様の発泡樹脂シートを用いることができるため、図３のように保護具１の一部のみに接着層１ｂが形成されている場合と比較して、さらに低コスト化が可能となる。なお、別途テープ部材１５を用いることによって、保持具１としては接着層１ｂ、第２の接着層１ｃを有しない発泡樹脂シートを用いることも可能であり、その場合には、発泡樹脂シートとして一層安価なものを使用することができる。
【００５２】
また、固定作業において、シート状の1枚の保持具１に幹線３０やコネクタ７０を巻き付ける単純な保持方法であるため、図１の従来技術のような位置決め精度の要求はなく、作業が容易である。特に、接着層を有しない保持具１を用いる場合や、図４で示した実施形態のように接着層１ｂが片面全面に形成されている保持具１を使用する場合には、コネクタ７０や幹線３０の位置決めに特段の注意を払う必要がないため、求められる作業精度は、図１の従来技術に比べて格段に低い。その結果、組み立て工程において作業者が効率良くコネクタ７０を固定作業することが可能となり、コネクタを固定する保持構造の品質のばらつきも抑えられる。
【００５３】
一方、コネクタ７０を使用する際には、保持構造１０からコネクタ７０を引き抜くだけで良く、従来技術に比べて使用時の作業性も良好である。
【００５４】
以上、本発明の実施形態について説明してきたが、本発明は、上記した実施形態に限定されず、その要旨を逸脱しない範囲で種々変形して実施できる。例えば、保持具１の耐衝撃性を向上するために、保持具１は、複数回にわたってコネクタ７０及び支持部を巻回する構成であっても良い。また、保持具１は耐衝撃性を向上するため複数層構造を有するものであっても良く、用途に応じて種々選択できる。
【符号の説明】
【００５５】
１  保持具
１ａ  保護材
１ｂ  接着層
１ｃ  接着層（第２の接着層）
３  支持部
５  保持部
１０  保持構造
１５  テープ部材
３０  幹線
５０  支線
７０  コネクタ
【図１】
2018010732.tif 000003
【図２】
2018010732.tif 000004
【図３】
2018010732.tif 000005
【図４】
2018010732.tif 000006